(57)【要約】【課題】情報のジャンル表示の変更を容易に行うことができる情報送信装置並びに情報送信方法を提供する。【解決手段】情報送信装置１は、携帯電話機６との間隙が所定の距離例えば数センチメートル以下の場合に携帯電話機６に所定の情報を送信する６個のＩＣタグ２と、表示内容即ちアイコン４が変更可能に構成された液晶表示パネル３とを備える。第１のＩＣタグ２Ａは、携帯電話機６が第１のＩＣタグ２Ａから所定の距離例えば数センチメートル上方に離れた領域である第１領域に配置された際に第１情報即ちホームページＵＲＬ情報を含むグルメに関する情報を送信方向５に沿って送信可能に構成されている。液晶表示パネル３は、携帯電話機６がグルメに関する情報を受信する第１領域と、第１のＩＣタグ２Ａとの間に配置されている。【選択図】図１
2010039658.tif 000002
【特許請求の範囲】
【請求項１】
携帯情報端末との間隙が所定の距離以下の場合に同携帯情報端末に所定の情報を送信するＮ個（Ｎは自然数）の情報送信手段と、
表示内容が変更可能に構成された情報表示手段とを備え、
第ｎ（１≦ｎ≦Ｎ）番目の前記情報送信手段は、前記携帯情報端末が第ｎ領域に配置された際に第ｎ情報を送信可能に構成され、
前記情報表示手段と、前記第ｎ領域と、第ｎ番目の前記情報送信手段は、略同一線上に位置する
情報送信装置。
【請求項２】
前記情報表示手段は、前記第ｎ領域と第ｎ番目の前記情報送信手段との間に配置された
請求項１に記載の情報送信装置。
【請求項３】
前記第ｎ領域と第ｎ番目の前記情報送信手段との間に配置された前記情報表示手段は、第ｎ情報の内容に対応した内容を表示する
請求項１または請求項２に記載の情報送信装置。
【請求項４】
前記第ｎ領域と第ｎ番目の前記情報送信手段との間に配置された前記情報表示手段は、第ｎ情報の内容に対応した内容を音声で案内する
請求項３に記載の情報送信装置。
【請求項５】
前記情報表示手段によって表示される内容はアイコンである
請求項１〜４のいずれか１つに記載の情報送信装置。
【請求項６】
前記情報表示手段は、人が情報送信装置から所定の範囲にいる場合に内容を表示する
請求項１〜５のいずれか１つに記載の情報送信装置。
【請求項７】
前記情報表示手段によって表示される内容は通信回線を介して変更可能である
請求項１〜６のいずれか１つに記載の情報送信装置。
【請求項８】
第ｎ番目の前記情報送信手段によって送信される第ｎ情報のジャンルに属する広告情報を表示する広告情報表示手段を備える
請求項１〜７のいずれか１つに記載の情報送信装置。
【請求項９】
第ｎ番目の前記情報送信手段によって送信される第ｎ情報及び前記広告情報表示手段によって表示される広告情報は、情報送信装置が設置される場所を中心として所定の範囲の領域についての情報である
請求項８に記載の情報送信装置。
【請求項１０】
携帯情報端末との間隙が所定の距離以下の場合に同携帯情報端末に所定の情報を送信するＮ個（Ｎは自然数）の情報送信手段の第ｎ（１≦ｎ≦Ｎ）番目から第ｎ領域に配置された前記携帯情報端末に送信される第ｎのＵＲＬ情報先の閲覧対象物の内容に合わせて、前記第ｎ領域及び第ｎ番目の前記情報送信手段と略同一線上に位置する情報表示手段の表示内容を変更する表示情報変更工程を備える
情報送信方法。
【発明の詳細な説明】
【技術分野】
【０００１】
本発明は情報送信装置及び情報送信方法に関する。詳しくは、消費者が携帯電話機をかざして情報を取得できる、情報送信装置及び情報送信方法に係るものである。
【背景技術】
【０００２】
近距離無線通信の１つとして、非接触ＩＣタグ、無線ＩＣタグ、非接触データキャリア、ＲＦＩＤ等を用いた非接触ＩＣ通信が、物品管理、物流管理、情報表示など様々な分野において適用されている。
【０００３】
例えば、特許文献１には、携帯情報端末を使用した電子乗車券システムが記載されている。即ち、特許文献１の電子乗車券システムでは、ユーザが携帯情報端末を操作して、乗車券類予約販売ホストコンピュータと通信を行い、特急券、指定券、定期券等の所望の車券を予約購入し、乗車券類予約販売ホストコンピュータは、ユーザが指定する銀行やクレジット会社のホストコンピュータに接続されており、車券の予約購入がなされた際に、ユーザが指定した銀行やクレジット会社のホストコンピュータと通信を行い、決済処理を行なう。また、乗車券類予約販売ホストコンピュータは、決済処理後に、ユーザにより購入された車券を示す購入情報を、ユーザの携帯情報端末に送信する。さらに、ユーザの携帯情報端末は、この購入情報を、携帯情報端末に設けられたＩＣモジュール内に記憶し、ユーザは、自動改札機を通過する際に携帯情報端末をかざすと、ＩＣモジュール内に記憶された購入情報に基づいて自動改札機との間の通信により自動改札が行われる。
【０００４】
【特許文献１】特開２００１−２６６１７８号公報
【発明の開示】
【発明が解決しようとする課題】
【０００５】
ところで、このように携帯情報端末を所定の装置にかざすことによって情報の送受信を行うことを利用して、例えば、公共の場において設置されている案内板や掲示板に貼られた各種情報媒体（例えば紙）に近接させて無線ＩＣタグ等を取付け、非接触ＩＣリーダライタが内蔵された携帯情報端末を各種情報媒体近くの無線ＩＣタグにかざして、より詳しい情報を取得することが考えられる。
【０００６】
しかし、このような案内板や掲示板の情報内容を変更する場合、情報内容の変更に伴って、どのようなジャンルの情報であるかを消費者に知らしめる各種情報媒体（紙）をわざわざ取替えなければならず、手間と時間を要する。
【０００７】
本発明は、以上の点に鑑みて創案されたものであり、情報のジャンル表示の変更を容易に行うことができる情報送信装置並びに情報送信方法を提供することを目的とする。
【課題を解決するための手段】
【０００８】
上記の目的を達成するために、本発明の情報送信装置は、携帯情報端末との間隙が所定の距離以下の場合に同携帯情報端末に所定の情報を送信するＮ個（Ｎは自然数）の情報送信手段と、表示内容が変更可能に構成された情報表示手段とを備え、第ｎ（１≦ｎ≦Ｎ）番目の前記情報送信手段は、前記携帯情報端末が第ｎ領域に配置された際に第ｎ情報を送信可能に構成され、前記情報表示手段と、前記第ｎ領域と、第ｎ番目の前記情報送信手段は、略同一線上に位置するものである。
【０００９】
ここで、表示内容が変更可能に構成された情報表示手段と、第ｎ領域と、第ｎ番目の情報送信手段が略同一線上に位置することによって、消費者は、携帯情報端末を、例えば情報のジャンルを示すマークが表示された情報表示手段の上方即ち第ｎ領域にかざすだけで、所望するジャンルの情報を得ることができる。
【００１０】
また、本発明の情報送信装置において、情報表示手段は、第ｎ領域と第ｎ番目の情報送信手段との間に配置されていることが好ましい。
また、本発明の情報送信装置において、第ｎ領域と第ｎ番目の情報送信手段との間に配置された情報表示手段は、第ｎ情報の内容に対応した内容を表示することが好ましい。
また、本発明の情報送信装置において、第ｎ領域と第ｎ番目の前記情報送信手段との間に配置された前記情報表示手段は、第ｎ情報の内容に対応した内容を音声で案内することが好ましい。
【００１１】
また、本発明の情報送信装置において、情報表示手段によって表示される内容はアイコンである場合、情報種別が一目で判る。
【００１２】
また、本発明の情報送信装置において、情報表示手段は、人が情報送信装置から所定の範囲にいる場合に内容を表示する場合、人が情報送信装置のまわりに全くいない時には表示をオフにして電力の省力化に寄与できる。
ここで、「所定の範囲」とは、人が情報表示手段の表示内容を目視できる範囲をいう。
【００１３】
また、本発明の情報送信装置において、情報表示手段によって表示される内容は通信回線を介して変更可能である場合、情報送信装置の管理者は、遠隔地において情報表示手段の表示内容を変更することができる。
【００１４】
また、本発明の情報送信装置において、第ｎ番目の情報送信手段によって送信される第ｎ情報のジャンルに属する広告情報を表示する広告情報表示手段を備える場合、広告情報表示手段に表示された広告情報を見た消費者が、広告情報に興味を持って広告情報に関するジャンルの情報を得ようとし、広告宣伝効果の向上が期待できる。
【００１５】
また、本発明の情報送信装置において、第ｎ番目の情報送信手段によって送信される第ｎ情報及び広告情報表示手段によって表示される広告情報は、情報送信装置が設置される場所を中心として所定の範囲の領域についての情報である場合、消費者は、携帯情報端末を、例えば情報のジャンルを示すマークが表示された情報表示手段の上方即ち第ｎ領域にかざすだけで、現在地周辺の情報を得ることができる。
ここで、「所定の範囲」とは、半径数メートルから数キロメートルの範囲をいう。
【００１６】
また、上記の目的を達成するために、本発明の情報送信方法は、携帯情報端末との間隙が所定の距離以下の場合に同携帯情報端末に所定の情報を送信するＮ個（Ｎは自然数）の情報送信手段の第ｎ（１≦ｎ≦Ｎ）番目から第ｎ領域に配置された前記携帯情報端末に送信される第ｎのＵＲＬ情報先の閲覧対象物の内容に合わせて、前記第ｎ領域及び第ｎ番目の前記情報送信手段と略同一線上に位置する情報表示手段の表示内容を変更する表示情報変更工程を備える。
【００１７】
ここで、ＵＲＬ情報先の閲覧対象物の内容に合わせて、第ｎ領域及び第ｎ番目の情報送信手段と略同一線上に位置する情報表示手段の表示内容を変更することによって、送信する情報自体を変更しなくても、消費者には情報自体が変更されたように認識させることができる。
【発明の効果】
【００１８】
本発明に係る情報送信装置は、情報のジャンル表示の変更を容易に行うことができる。
【００１９】
本発明に係る情報送信方法によって、情報のジャンル表示の変更を容易に行うことができる。
【発明を実施するための最良の形態】
【００２０】
以下、本発明の実施の形態について図面を参照しながら説明し、本発明の理解に供する。
図１は、本発明を適用した情報送信装置の構成の一例を説明する概略図である。図１において、本発明の情報送信装置１は、携帯電話機６との間隙が所定の距離（例えば数センチメートル）以下の場合に携帯電話機６に所定の情報を送信する６個のＩＣタグ（第１のＩＣタグ２Ａ〜第６のＩＣタグ２Ｆからなる。）（情報送信手段の一例である。）２と、表示内容即ちアイコン４（アイコンに対応する文字を含む。）が変更可能に構成された液晶表示パネル（情報表示手段の一例である。）３とを備える。ここで、ＩＣタグ２や液晶表示パネル３を囲む筐体や、ＩＣタグ２や液晶表示パネル３に接続された配線は省略する。
また、図１において、第１のＩＣタグ（第１番目のＩＣタグ）２Ａは、携帯電話機６が第１のＩＣタグ２Ａから所定の距離（例えば数センチメートル）上方に離れた領域である第１領域に配置された際に第１情報即ちホームページＵＲＬ情報を含むグルメに関する情報を送信方向５に沿って送信可能に構成されている。
また、図１において、液晶表示パネル３は、携帯電話機６がグルメに関する情報を受信する第１領域と、第１のＩＣタグ２Ａとの間に配置されている。
【００２１】
なお、通常、液晶表示パネルは、ガラス基板で挟持された液晶からなる液晶層と、断熱材と、コイル等が積層されて一体化された構成となっているが、図１では、そのうち液晶層のみが示されている。また、本発明では、ＩＣタグは、液晶層と断熱材との間に配置され、液晶表示パネルとＩＣタグとが一体化されている。
また、図１では、液晶表示パネル３が、第１領域と第１のＩＣタグ２Ａとの間に配置された様子を示しているが、液晶表示パネルと、第ｎ領域と、第ｎ番目のＩＣタグとが、略同一線上に位置するのであれば、必ずしも液晶表示パネル３が、第１領域と第１のＩＣタグ２Ａとの間に配置されていなくてもよく、例えば、液晶表示パネルと第ｎ領域との間に、透明な第ｎ番目のＩＣタグが配置されてもよい。この場合、透明なＩＣタグを用いることで、液晶表示パネルに表示されたアイコンを、透明なＩＣタグを通して見ることができる。
【００２２】
また、同様に、図１において、第２のＩＣタグ（第２番目のＩＣタグ）２Ｂは、携帯電話機６が第２のＩＣタグ２Ｂから所定の距離（例えば数センチメートル）上方に離れた領域である第２領域に配置された際に第２情報即ちホームページＵＲＬ情報を含むオリンピックに関する情報を送信方向５に沿って送信可能に構成されている。
また、同様に、図１において、第３のＩＣタグ（第３番目のＩＣタグ）２Ｃは、携帯電話機６が第３のＩＣタグ２Ｃから所定の距離（例えば数センチメートル）上方に離れた領域である第３領域に配置された際に第３情報即ちホームページＵＲＬ情報を含むショッピングに関する情報を送信方向５に沿って送信可能に構成されている。
また、同様に、図１において、第４のＩＣタグ（第４番目のＩＣタグ）２Ｄは、携帯電話機６が第４のＩＣタグ２Ｄから所定の距離（例えば数センチメートル）上方に離れた領域である第４領域に配置された際に第４情報即ちホームページＵＲＬ情報を含む観光に関する情報を送信方向５に沿って送信可能に構成されている。
また、同様に、図１において、第５のＩＣタグ（第５番目のＩＣタグ）２Ｅは、携帯電話機６が第５のＩＣタグ２Ｅから所定の距離（例えば数センチメートル）上方に離れた領域である第５領域に配置された際に第５情報即ちホームページＵＲＬ情報を含む温泉に関する情報を送信方向５に沿って送信可能に構成されている。
そして、同様に、図１において、第６のＩＣタグ（第６番目のＩＣタグ）２Ｆは、携帯電話機６が第６のＩＣタグ２Ｆから所定の距離（例えば数センチメートル）上方に離れた領域である第６領域に配置された際に第６情報即ちホームページＵＲＬ情報を含む不動産に関する情報を送信方向５に沿って送信可能に構成されている。
【００２３】
また、液晶表示パネル３に表示されたアイコン４は、前述の第１〜６情報それぞれの内容に対応している。
また、液晶表示パネル３は、消費者が情報送信装置から所定の範囲（例えば、消費者が液晶表示パネル３の表示内容を目視できる範囲）にいる場合に、アイコン４を表示する。
また、図１に示した液晶表示パネル３は、１枚のパネルで構成されているが、例えば各ＩＣタグに対応していれば、複数の液晶表示パネルを用いてもよい。
また、携帯電話機６は、携帯電話機６が配置された領域の１つのＩＣタグが送信する情報を取得するのであり、２つ以上のＩＣタグからそれぞれ送信する情報を同時に取得することはない。
また、携帯電話機６が情報を取得する際に、情報を送信するＩＣタグ２に対応するアイコン４が光るようにしてもよい。
【００２４】
ここで、６個のＩＣタグを使用した例を挙げているが、携帯情報端末との間隙が所定の距離以下の場合に携帯情報端末に所定の情報を送信するのであれば、必ずしも６個でなくてもよく、６個より多くても６個より少なくてもよい。また、携帯情報端末との間隙が所定の距離以下の場合に携帯情報端末に所定の情報を送信するのであれば、必ずしもＩＣタグでなくてもよい。
また、第ｎ領域と第ｎ番目の情報送信手段との間に配置され、表示内容が変更可能に構成された情報表示手段であれば、必ずしも液晶表示パネルでなくてもよく、ＬＥＤやプラズマで構成された情報表示手段であってもよい。
また、液晶表示パネル３に表示される内容は、必ずしもアイコンでなくてもよく、例えば、文字だけでもよいし、動画であってもよい。
また、図１の液晶表示パネル３に示されたアイコン４のジャンル以外にも、例えば、「医療」、「有機野菜または無農薬野菜」、「ボランティアまたは福祉」、「公共機関または役所情報」、「仕事またはリクルート情報」、「１００円ランチ」、「美容またはエステ」、「習い事またはスクール」、「ランキング」、「商業施設または店舗の催事またはセール情報」、「新聞またはニュース」、「ケータイ小説」、「映画館情報」、「音楽」、「フリーペーパーＷＥＢ版」、「風俗情報」といったジャンルのアイコンが表示されてもよい。
【００２５】
図２は、本発明を適用した情報送信装置の他の例を説明する概略図である。図２において、本発明の情報送信装置１の液晶表示パネル３は、情報送信装置１の接地面に対して、上方に向けて傾斜しており、情報送信装置１の近くを通る消費者に対して液晶表示パネル３を見えやすくしている。
また、液晶表示パネル３のアイコン４は、インターネット（通信回線の一例である。）９を介して管理サーバ８によって変更することができる。
ここで、本発明の情報送信装置１内に挿入されるＤＶＤ等の記録媒体に液晶パネルに表示するアイコン画面情報を記録しておき、このＤＶＤ等を取替えることで、液晶パネルに表示されるアイコンを変更してもよい。
【００２６】
また、図２に示すように、本発明の情報送信装置１は、前述の第１〜６情報のジャンルに属する広告情報を表示すると共にＬＥＤまたは液晶またはプラズマで構成された広告情報表示手段７を備える。
また、前述の第１〜６情報及び広告情報表示手段７によって表示される広告情報は、情報送信装置１が設置される場所（例えば駅や街の中心から四方）を中心として所定の範囲（例えば半径数キロメートル以内）の領域についての情報であり、動画情報が含まれる。
また、広告情報表示手段７に表示される広告情報は、本発明の情報送信装置１内に挿入されるＤＶＤ等の記録媒体に記録された広告情報でもよいし、また、管理サーバ８内のデータベースに記録されインターネット９を介して配信された広告情報でもよい。
【００２７】
また、図２に示すように、本発明の情報送信装置１に取付けられた収容部１１には、情報送信装置１が設置された地域の広告情報が記載されたフリーペーパー１０が収容されている。
また、フリーペーパー１０には、二次元コードが印刷されており、携帯電話機６によって二次元コードを読み取り、地域の広告情報を携帯電話機６に表示させることができる。
また、液晶表示パネル３は、広告情報表示手段７に表示された広告情報と同じ広告情報を表示することができる。
【００２８】
図３は、本発明を適用した情報送信装置を利用して情報を取得する手順の一例を説明する概略図である。
駅や街の中心から四方に、図２に示した情報送信装置１が複数設置される。また、情報送信装置１の設置場所よりもさらに駅や街の中心から離れた四方に、大型の広告情報表示装置が設置される。
また、管理サーバ８は、管理サーバ８内のデータベースに記録された地域の広告情報を、広告情報表示手段７が取付けられた情報送信装置１や大型の広告情報表示装置にインターネット９を介して送信する。
【００２９】
郊外から、車等で駅や中心街へ来る消費者は、まず大型の広告情報表示装置に表示された広告情報を目にする。そして消費者は、駐車して街中を歩きながら、今度は情報送信装置１の広告情報表示手段７に表示された広告情報を目にする。
また、大型の広告情報表示装置と広告情報表示手段７には、同じ広告情報が表示される。
【００３０】
このように２種類の表示媒体を通して同じ広告情報を見た消費者が、広告情報いついて興味を持って詳細な情報を得たい場合、本発明の情報送信装置１の液晶表示パネル３に、ジャンル別に表示されたアイコン４のうち、広告情報が属するジャンル例えば「温泉」のアイコン４に、非接触ＩＣ通信機能を備えた携帯電話機６を近づける（ステップＳ１）。
この場合、例えば「温泉情報です。」という音声が流れ、消費者に対して、消費者自身が「温泉」のジャンルに携帯電話機６を近づけていることを知らせる。
【００３１】
そして、情報送信装置１は、携帯電話機６が第５のＩＣタグ２Ｅから所定の距離（例えば数センチメートル）上方に離れた領域である第５領域に配置された際に第５情報即ちホームページＵＲＬ情報を含む温泉に関する情報（ジャンル情報）を、このジャンルに属する広告情報と共に携帯電話機６へ非接触ＩＣ通信によって送信する（ステップＳ２）。
【００３２】
次に、携帯電話機６に送信された温泉に関する情報は、ホームページＵＲＬ情報を含むので、携帯電話機６の画面には、温泉に関連するホームページのＵＲＬ情報が表示される（ステップＳ３）。
また、携帯電話機６に送信される温泉に関する情報には、広告情報に関連するクーポン情報やコンテンツ情報も含まれるので、消費者の携帯電話機６の画面には、クーポン情報やコンテンツ情報も表示される。
【００３３】
ここで消費者は、携帯電話機の画面に表示されたＵＲＬ情報を選択して、温泉に関するホームページにアクセスすることができるが、このホームページは、管理サーバ内に存在させてもよいし、他のサーバ内に存在させてもよい。また、ホームページには動画情報も含まれており、アクセスすると動画が再生される。
また、携帯電話機６へ送信された広告情報と温泉に関する情報を、パーソナルコンピュータ（ＰＣ）や他の携帯電話機へ電子メールで送信するために、例えばアドレス入力欄やメール送信ボタンが携帯電話機の画面に表示されていてもよい。
【００３４】
また、例えばオリンピックが終わり、オリンピック情報から別の情報へ変更する場合は、ＩＣタグから送信されるＵＲＬ情報先のホームページを変更すると共に、ホームページの内容に合わせて液晶表示パネルに表示されるアイコンを変更する。
【００３５】
以上、説明したように、表示内容即ちアイコンが変更可能に構成された液晶表示パネルは、携帯電話機が例えばグルメに関する情報を受信する第１領域と、第１のＩＣタグとの間に配置されているので、消費者は、携帯電話機をアイコン上即ち第１領域にかざすだけで、グルメ情報を得ることができ、情報のジャンル表示であるアイコンの変更も、液晶表示パネルに表示されているので容易である。
【００３６】
また、第１〜６情報のジャンルに属する広告情報を表示するので、表示された広告情報を見た消費者が、広告情報に興味を持って広告情報に関するジャンルの情報を得ようとし、広告宣伝効果の向上が期待できる。
【００３７】
また、ＩＣタグから送信されるＵＲＬ情報先のホームページを変更すると共に、ホームページの内容に合わせて液晶表示パネルに表示されるアイコンを変更するので、送信する情報自体を変更しなくても、消費者には情報自体が変更されたように認識させることができる。
【図面の簡単な説明】
【００３８】
【図１】本発明を適用した情報送信装置の構成の一例を説明する概略図である。
【図２】本発明を適用した情報送信装置の他の例を説明する概略図である。
【図３】本発明を適用した情報送信装置を利用して情報を取得する手順の一例を説明する概略図である。
【符号の説明】
【００３９】
１    情報送信装置
２    ＩＣタグ
２Ａ  第１のＩＣタグ
２Ｂ  第２のＩＣタグ
２Ｃ  第３のＩＣタグ
２Ｄ  第４のＩＣタグ
２Ｅ  第５のＩＣタグ
２Ｆ  第６のＩＣタグ
３    液晶表示パネル
４    アイコン
５    送信方向
６    携帯電話機
７    広告情報表示手段
８    管理サーバ
９    インターネット
１０    フリーペーパー
１１    収容部
【図１】
2010039658.tif 000003
【図２】
2010039658.tif 000004
【図３】
2010039658.tif 000005